(57)【要約】【課題】位置出し作業を行うことなく照明装置を取り付けることができる設備ユニットを提供する。【解決手段】パネル材１１，１２を連結して室内空間３を画する設備ユニットにおいて、パネル材１１，１２同士を連結部材１３で連結し、室内用の照明装置１０を連結部材１３の表側に取り付ける。連結部材１３は熱伝導性材料で構成し、連結部材１３は両側にそれぞれ爪部１３ｂ，１３ｃを備え、爪部１３ｂ，１３ｃがそれぞれパネル材１１，１２を係止し、爪部１３ｂ，１３ｃ間に設けられる支持部１３ａの表側には溝部１３ｄを備え、溝部１３ｄが照明装置１０を挟持する。【選択図】図２
2010262815.tif 000002
【特許請求の範囲】
【請求項１】
ドア枠材やパネル材などの画成材で室内空間を画する設備ユニットにおいて、
上記画成材同士が連結部材で連結されており、室内用の照明装置が該連結部材の表側に取り付けられていることを特徴とする、設備ユニット。
【請求項２】
前記照明装置を前記連結部材につける取付手段を備えたことを特徴とする、請求項１に記載の設備ユニット。
【請求項３】
前記照明装置は、前記照明装置の光源が密着するように固定された台座を有し、
前記連結部材は、上記台座に当接した支持部を有し、
前記取付手段は、上記台座に形成された脚部と、上記支持部に形成された当該脚部を挟持する溝部と、から構成され、
上記台座と前記連結部材とが熱伝導性材料で形成されていることを特徴とする、請求項２に記載の設備ユニット。
【発明の詳細な説明】
【技術分野】
【０００１】
本発明は、浴室ユニットや洗面室ユニットなどの設備ユニットに係り、特にドア枠材やパネル材などの画成材の継ぎ目に照明装置が取り付けられた設備ユニットに関する。
【背景技術】
【０００２】
浴室ユニットや洗面室ユニットなどの設備ユニットは、パネル材同士を連結し、さらにパネル材とドア枠とで成る画成材を連結して組み立てられている。
従来では、設備ユニットの室内空間用の照明装置は画成材とは別部材として構成されている。この照明装置は、設備ユニットの壁部を構成するパネル材表面にそのまま取り付けることができなかったため、パネル材を加工し、取り付けていた。
【０００３】
ところで、照明装置の光源として高輝度の発光ダイオード素子が用いられており、特許文献１には、浴室の壁面に複数の発光ダイオード素子を配置し、複数の発光ダイオード素子を覆うように前面に透明又は半透明の板を取り付けて構成した構造が開示されている。特許文献２では、発光ダイオード素子を基板に実装し、基板表裏両側を樹脂でポッティングし、基板に放熱板を取り付けて熱を逃がす構造を開示している。
【先行技術文献】
【特許文献】
【０００４】
【特許文献１】特開２００７−１９４１１７号公報
【特許文献２】特開２００１−３０７５４４号公報
【発明の概要】
【発明が解決しようとする課題】
【０００５】
しかし、従来の設備ユニットにおいて、壁部を構成するパネル材を加工する際、当該パネル材における正規の位置に照明装置が取り付けられるよう位置出しを行う必要があるため、取付作業は煩雑であった。
【０００６】
本発明は、上記問題点に鑑みてなされたものであり、簡単に正規の位置へ照明装置を取付け可能な設備ユニットを提供することを目的とする。
【課題を解決するための手段】
【０００７】
上記目的を達成するために、本発明は、ドア枠材やパネル材などの画成材で室内空間を画する設備ユニットにおいて、画成材同士が連結部材で連結されており、室内を照らす照明装置が該連結部材の表側に取り付けられていることを特徴とする。
上記構成において、連結部材は熱伝導性材料で構成されており、連結部材は両側にそれぞれ爪部を備え、爪部がそれぞれ画成材を係止し、爪部間に設けられる支持部の表側には溝部を備え、溝部が照明装置を挟持することが好ましい。
【発明の効果】
【０００８】
本発明によれば、画成材同士を連結部材で連結し、その連結部材に照明装置を取り付けるので、設備ユニットに照明装置を取り付けるための位置出しを行う作業を省略することができる。これにより取付工程も簡略化することができる。
連結部材が熱伝導性材料で構成されていると、連結部材に取り付けられている照明装置が発する熱が伝わり、いわゆる放熱板として機能する。
また、照明装置を連結部材に取り付けることで、画成材の継ぎ目を隠すこともできる。
【図面の簡単な説明】
【０００９】
【図１】本発明の実施形態に係る浴室ユニット設備の一部を切り欠いて示す斜視図である。
【図２】第一の実施形態に関し、パネル材同士を連結した状態を示す断面図である。
【図３】図２に示す第一の実施形態の変形例を示す断面図である。
【図４】第二の実施形態に関し、パネル材同士を連結した状態を示す断面図である。
【図５】図４に示す第二の実施形態の変形例を示す断面図である。
【図６】第三の実施形態に関し、パネル材同士を連結した状態を示す断面図である。
【発明を実施するための形態】
【００１０】
以下、図面を参照しながら本発明の実施形態について詳細に説明する。
本発明の実施形態において、設備ユニット１とは、その構成部品である画成材としてのパネル材２やドア枠材などを組み立てることで、浴室や洗面室などの室内空間３を画するものである。パネル材２は壁材や天井材として用いられ、ドア枠（図１には示さず）は折れ戸、開き戸、引き戸などの扉を開閉可能に取り付けるものであり、複数の枠材を連結して組み立てられる。
【００１１】
図１は、本発明の実施形態に係る設備ユニットの一部を切り欠いて示す斜視図である。本実施形態に係る設備ユニット１とは例えば図１に示すような浴室ユニットであり、壁材としてのパネル材２と天井材としてのパネル材２とが連結部材４で連結され、室内空間３としての浴室が画成される。
浴室ユニットの左側にはバスタブ５が設置され、バスタブ５の隣りには洗い場が設けられている。壁材としての奧側のパネル材２には、カウンター６と鏡７とが取り付けられている。カウンター６はバスタブ５と右側の壁材とに掛け渡されるように取り付けられている。
【００１２】
本発明の実施形態における設備ユニット１は、パネル材２同士やドア枠（図示せず）とパネル材２とを連結する連結部材４に照明装置１０（図１には示さず）を取り付け、室内空間３内を照らすものである。照明装置１０は天井裏に配備されている制御ボックス９ａに配線コード（図示せず）で電気的に接続されている。制御ボックス９ａは電源ボックス９ｂに接続され、電源ボックス９ｂは配電盤９ｃに配線コードで接続されている。ここで、図示しないスイッチを操作すると、照明装置１０に通電され、照明装置１０の光源が室内を照らす。以下、連結部材４でパネル材２同士を連結してその連結部材４に照明装置が取り付けられている幾つかの実施形態を、図２乃至図５に示す断面図を参照しながら詳細に説明する。
【００１３】
＜第一の実施形態＞
第一の実施形態では、表面が同一面上に並んで配置される二枚のパネル材１１，１２を連結させた場合について説明する。図２は第一の実施形態を示す断面図である。
パネル材１１，１２は例えば断熱材１１ａ，１２ａの表面に鋼板１１ｂ，１２ｂが接着されて構成されている。鋼板１１ｂ，１２ｂの端部は断熱材１１ａ，１２ａの端部から外側へ突出するように長く、かつ、折片１１ｄ，１２ｄを含めてフック状に形成されている。折片１１ｄ，１２ｄは、断熱材１１ａ，１２ａと隙間を空けて設けられている。
【００１４】
連結部材１３は、後述する照明装置１０を挟持する支持部１３ａと、この支持部１３ａの両端から互いに反対方向へ突出した爪部１３ｂ，１３ｃと、から構成されている。連結部材１３は、その支持部１３ａの両側面がパネル材１１，１２の左右側の側面に沿うように配設される。
爪部１３ｂ，１３ｃは、パネル材１１，１２を係止するものであり、具体的には、前述した鋼板１１ｂ，１２ｂのフック状の端部を係止する。爪部１３ｂ，１３ｃは、支持部１３ａから延設した基部１３１ｂ，１３１ｃと、基部１３１ｂ，１３１ｃの先端で折れ曲がった屈曲部１３２ｂ，１３２ｃと、から構成されている。
【００１５】
本実施形態では、連結部材１３、即ち支持部１３ａ及び爪部１３ｂ，１３ｃが熱伝導性材料、例えばアルミニウムなどの金属で構成されていることを特徴としている。
【００１６】
爪部１３ｂ，１３ｃにおける基部１３１ｂ，１３１ｃと屈曲部１３２ｂ，１３２ｃとで画成される領域Ｓ内に、鋼板１１ｂ，１２ｂのフック状の端部が入れられて、図２に示すように、二枚のパネル材１１，１２は連結部材１３によって連結されている。屈曲部１３２ｂ，１３２ｃは、パネル材１１，１２の折片１１ｄ，１２ｄをそれぞれ圧接している。
【００１７】
連結部材１３が二枚のパネル材１１，１２を連結させた状態では、二枚のパネル材１１，１２の表面は同一面上に並び、二枚のパネル材１１，１２の端部同士の間に連結部材１３の支持部１３ａが現れる。
連結部材１３の支持部１３ａと各パネル材１１，１２との隙間には、図２に示すように、目地材１５が表側から挿入されている。目地材１５は、二枚のパネル材１１，１２と面一に配置される頭部１５ｂと、この頭部１５ｂの裏側に設けられた差込部１５ａと、差込部１５ａの両側に形成されたひれ片１５ｃと、から構成されている。
【００１８】
次に、照明装置１０について説明する。
照明装置１０は、台座１６と、台座１６に密着するように固定された光源１４と、台座１６に被着したカバー１７と、を備えている。
光源１４は、配線が配設されている基板１４ｃと、この基板１４ｃの表側に実装された複数の発光ダイオード素子などの発光素子１４ａと、基板１４ｃの表面と共に発光素子１４ａを樹脂でモールディングした保護部１４ｄと、から構成されている。保護部１４ｄによって湿気などに起因する導通不良を防止している。
【００１９】
台座１６は、光源１４の裏面全体と接する平板の載置部１６ａと、この載置部１６ａの両端でほぼ垂直に前側に突出した係合部１６ｂと、を備えている。
【００２０】
本実施形態では、照明装置１０を連結部材１３につける取付手段１８を備えており、この取付手段１８は、支持部１３ａに形成された一対の溝部１３ｄと、載置部１６ａの裏側から突出した一対の脚部１６ｃと、から構成されている。一対の溝部１３ｄは、支持部１３ａを室内空間側から凹設して形成されている。
脚部１６ｃが連結部材１３の溝部１３ｄに挟持されて、照明装置１０が連結部材１３に支持される。
【００２１】
本実施形態では、台座１６が熱伝導性材料、例えばアルミニウムなどの金属で構成されている。
【００２２】
カバー１７は、断面コ字状に形成されており、その両端部が台座１６の係合部１６ｂによって係止される。カバー１７の具体的な構造は、図２に示すように、二枚のパネル材１１，１２に略並行に設けられる前面部１７ａと、台座１６の係合部１６ｂに係止される係合部１７ｂと、から構成されている。
【００２３】
本実施形態に係る設備ユニット１の組立ては、例えば、以下の工程（１）〜（５）を順番に行う。
（１）画成材を連結して室内空間を形成する。すなわち、パネル材１１，１２同士を連結部材１３によって連結する。
（２）連結部材１３とパネル材１１，１２との隙間に目地材１５を差し込む。
（３）室内空間側に現れている連結部材１３の支持部１３ａの溝部１３ｄに、光源１４が取り付けられた台座１６の脚部１６ｃを差し込む。
（４）照明装置１０と制御ボックス９ａ、制御ボックス９ａと電源ボックス９ｂを電気配線で接続する。
（５）カバー１７を台座１６に取り付ける。
【００２４】
このように本実施形態に係る設備ユニット１は、その組立ての過程において照明装置１０の位置出しを行うための作業を行う必要がない。すなわち、本実施形態では、光源１４が連結部材１３に取り付けられるため、設備ユニット１の組立過程で連結部材１３が所望の位置に配設されることで、照明装置１０の位置出しも行われる。
よって、本実施形態に係る設備ユニット１によれば、従来の技術では必要であった照明装置１０を取り付けるためのパネル材１１，１２などの加工を省くことができる。
【００２５】
また、本実施形態では、図示しないスイッチを操作すると発光素子１４ａに通電し、発光素子１４ａが発光する。その際、発光素子１４ａが発する熱が基板１４ｃと台座１６の載置部１６ａとその脚部１６ｃを経由して連結部材１３の溝部１３ｄに伝達し、各パネル材１１，１２の裏面に配設されている連結部材１３からも放散する。即ち、本実施形態の連結部材１３は、二枚のパネル材１１，１２を連結するだけでなく、放熱板の役目も果している。
なお、溝部１３ｄは台座１６との接触面積が広がるよう台座１６の脚部１６ｃを挟持しているので、発光素子１４ａが発光する際に発する熱を台座１６から連結部材１３へ効率良く伝達させることができる。
【００２６】
図３は、図２に示す第一の実施形態の変形例を示す断面図である。図３において図２に示す部材と同一のものについては同一の符号を付して説明を省略する。
図３に示す変形例は、図２に示す第一の実施形態とカバー材１７の形状が異なる。すなわち、カバー材１７は、二枚のパネル材１１，１２に並行に設けられる前面部１７ａと、前面部１７ａの各端からパネル材１１，１２に向けて垂直に延びる係合部１７ｂと、前面部１７ａの各端から各パネル材１１，１２に向けて斜めに延びる傾斜部１７ｃと、を一体形成して成る。カバー材１７とパネル材１１，１２とで形成される入隅部Ｃ，Ｃはカバー材１７の傾斜部１７ｃによって大きく開いた形になり、その入隅部Ｃ，Ｃについた汚れを拭き取り易くなっている。
【００２７】
＜第二の実施形態＞
第二の実施形態では、直交するように配置した二枚のパネル材１１，１２の縁部１１ｃ，１２ｃを連結部材で連結してコーナー（入隅）を構成する場合であって、当該コーナーの継ぎ目に照明装置を配置する場合について説明する。図４は第二の実施形態を示す断面図である。図４において図２に示す部材と同一のものには同一の符号を付して説明を省略する。
【００２８】
連結部材２３は、照明装置２０を挟持する支持部２３ａと、この支持部２３ａの両端から突出した一対の爪部２３ｂ，２３ｃと、から構成されている。図４に示す例では、一方の爪部２３ｂはパネル材１２の折片１２ｄに圧接されている。他方の爪部２３ｃは鋼板１１ｂに当接し、鋼板１１ｂにねじ２８で固定されている。
【００２９】
連結部材２３は、その支持部２３ａの両側面がパネル材１１、１２の左右側の側面に沿うように配設される。支持部２３ａは、断面円弧状の湾曲部２３１と、この湾曲部２３１から一方の爪部２３ｂ側へ延設した第１中間部２３２と、湾曲部２３１から他方の爪部２３ｃ側へ延設した第２中間部２３３と、から構成されている。支持部２３ａにおける室内空間３側に現れる面が入隅（コーナー）を構成するよう、第１中間部２３２は一方のパネル材１２の表面と面一に成る面を有し、第２中間部２３３は他方のパネル材１１の表面と面一に成る面を有し、湾曲部２３１は第１中間部２３２の表面から第２中間部２３３の表面へ繋がる湾曲面を有する。
第１中間部２３２と第２中間部２３３との間には、湾曲部２３１の裏側に、折れ曲がった補強部２３ｄが掛け渡されている。
なお、図に示すように、一方の爪部２３ｂは第１中間部２３２から延びており、他方の爪部２３ｃは第２中間部２３３から延びている。
さらに、本実施形態では、支持部２３ａの第１中間部２３２に、室内空間３側から凹設した溝部２３２ａを有する。
【００３０】
前述の実施形態と同様に、連結部材２３、即ち支持部２３ａ及び爪部２３ｂ，２３ｃは熱伝導性材料、例えばアルミニウムなどの金属で構成されている。
【００３１】
図４に示すように、二枚のパネル材１１，１２を連結部材２３によって連結した際に生じる隙間、即ちパネル材１２と第１中間部２３２との間、パネル材１１と第２中間部２３３との間には、パッキン材２９がそれぞれ嵌め込まれる。
【００３２】
照明装置２０の発光素子２４ａ、基板２４ｃ及び保護部２４ｄは第一の実施形態と同様であるが、照明装置２０をコーナー部に配置しているので、台座２６とカバー材２７は第一の実施形態と異なる。
台座２６は、室内側に向けて設けられる載置部２６ａと、この載置部２６ａの両端を支持する一対の支持部２６ｂとで、断面略三角形状をなしている。一対の支持部２６ｂのうち第１中間部に接している一方の支持部の裏側には脚部２６ｃを備えている。
この脚部２６ｃが第１中間部２３２の溝部２３２ａに差し込まれ、照明装置全体が連結部材２３に支持される。
本実施形態においても、台座２６が熱伝導性材料、例えばアルミニウムなどの金属で構成されていることを特徴としている。
【００３３】
発光素子２４ａは基板２４ｃに電気的に接続されており、保護部２４ｄに対向するようカバー材２７の前面部２７ａが配置されている。カバー材２７はこの前面部２７ａとその両端にそれぞれ連接する側壁部２７ｂ，２７ｂで一体形成されている。側壁部２７ｂは、カバー材２７の前面部２７ａの両端からパネル材１１，１２に垂直に延びて当接し、さらにパネル材１１，１２の縁側に延びて台座２６の載置部２６ａに当接すると互いに近づくように台座２６の載置部２６ａに平行に延びて保護部２４ｄ近傍で載置部２６ａに係止されている。
【００３４】
このように構成された第二の実施形態に係る設備ユニットも、その組立ての過程で、照明装置の位置出し作業を省略することができる。
【００３５】
図５は第二の実施形態の変形例を示す断面図である。図５において図４に示す部材と同一のものについては同一の符号を付して説明を省略する。
図５に示す変形例では、図４とカバー材２７の形状が異なる。すなわち、カバー材２７は、室内に向けて二枚のパネル材１１，１２に対してそれぞれ傾斜するように台座２６における載置部２６ａに平行に設けられる前面部２７ａと、この前面部２７ａを載置部２６ａに連結する一対の側壁部２７ｃとで一体形成されている。各側壁部２７ｃは、前面部２７ａの両端で各パネル材１１，１２に沿ってパネル材１１，１２の縁側に延び、さらに台座２６の載置部２６ａに当接すると互いに近づくように台座２６の載置部２６ａに平行に延び、保護部２４ｄ近傍で載置部２６ａに係止される。図４に示す形態に比べて、カバー材２７とパネル材１１，１２とが成す角度が大きくなるため、カバー材２７のパネル材１１，１２側近傍に付着した汚れを落としやすくなる。
【００３６】
＜第三の実施形態＞
第三の実施形態は、天井材としてのパネル材３１と壁材としてのパネル材３２とを直交するように連結部材３３で連結し、その入隅に照明装置２０を配置する。図６は第三の実施形態を示す断面図である。図６において図４に示す部材と同一のものには同一の符号を付し説明を省略する。
【００３７】
パネル材３１は、パネル材本体３１１とＬ型金具３１２とからなる。パネル材本体３１１は、鋼板３１ｂに断熱材３１ａを接着したものである。図示例では、鋼板３１ｂの端部は折れ曲がって断熱材３１ａの端部を覆っている。Ｌ型金具３１２は、その先端の折曲部３１２ａと、折曲部３１２ａの縁から延出した金具本体部３１２ｂとからなる。Ｌ型金具３１２は、折曲部３１２ａがパネル材本体３１１の上面に引っかかり、金具本体部３１２ｂがパネル材本体３１１の端部に当接した状態で、ねじ２８ｃでパネル材本体３１１に固定されている。金具本体部３１２ｂは、パネル材本体３１１の角部３１１ｃを越えて下方に延出している。なお、金具本体部３１２ｂにおいて、角部３１１ｃを越えて下方に突出した部分を延長部３１２ｃと呼ぶ。Ｌ型金具３１２は例えばアルミニウム等の熱伝導性材料からなる。Ｌ型金具３１２のパネル材本体３１１への取付けは接着、溶接等の方法でもよい。
【００３８】
パネル材３２は、第二の実施形態のパネル材１１等と同様に、鋼板３２ｂに断熱材３２ａを接着して構成されている。図示例では、鋼板３２ｂの端部は折れ曲がって断熱材３２ａの端部を覆っている。
【００３９】
連結部材３３は、照明装置２０を挟持する支持部３３ａと、この支持部３３ａから延設していてパネル材３１を接続するための第１接続部３３ｂと、この第１接続部３３ｂから延設していてパネル材３２を接続するための第２接続部３３ｃと、を有する。
支持部３３ａにおける室内空間３側に現れる面はパネル材３２の表面と面一である。支持部３３ａは、室内空間３側から凹設した溝部３３ｄを有する。支持部３３ａの上面は、パネル材３１を受ける天井載置部として機能する。
【００４０】
第１接続部３３ｂと第２接続部３３ｃとは支持部３３ａに比べて厚みが薄く形成されており、第１接続部３３ｂと第２接続部３３ｃと支持部３３ａとで、照明装置２０側に開口した凹部３３ｅを画成している。この凹部３３ｅ内に固定用のねじ２８ａ，２８ｂを収容することで、固定用のねじ２８ａ，２８ｂとパネル材や照明装置２０との緩衝を防ぐことができる。
【００４１】
パネル材３１と連結部材３３との間には、パッキン２９ａが配置されている。パネル材３２と連結部材３３との間には、パッキン２９ｂが配置されている。
【００４２】
本実施形態に係る設備ユニットの組立ては、例えば、下記の工程（１ａ）〜（４ａ）を順番に行う。
（１ａ）パネル材３２に連結部材３３をねじ２８ａで固定する。具体的には、第２接続部３３ｃをパネル材３２の上端部に当接させた状態で、ねじ２８ａで固定する。
（２ａ）連結部材３３をねじ止めしたパネル材３２に、パネル材３１を載置する。具体的には、支持部３３ａの上面にパネル材３１の縁部を載せる。このとき、パネル材３１の端部から下方に突出するＬ型金具３１２の延長部３１２ｃを連結部材３３の裏面に当接させる。
（３ａ）連結部材３３とパネル材３１とをねじ２８ｂで固定する。具体的には、連結部材３３の第１接続部３３ｂとＬ型金具３１２の延長部３１２ｃとをネジ２８ｂによって固定する。
（４ａ）照明装置２０を連結部材３３に取り付ける。具体的には、照明装置２０の脚部２６ｃを連結部材３３の溝部３３ｄに差し込む。
【００４３】
このように構成された第三の実施形態に係る設備ユニットも、その組立ての過程で、照明装置の位置出し作業を省略することができる。
【００４４】
本発明の実施形態は上述したように、隣り合う二枚のパネル材１１，１２を連結部材１３，２３の各爪部１３ｂ，１３ｃ，２３ｂ，２３ｃで係止して、或いは二枚のパネル材３１，３２を連結部材３３にねじ止めして二枚のパネル材１１，１２，３１，３２同士を連結し、その連結部材１３，２３，３３の溝部１３ｄ，２３２ａ，３３ｄに照明装置１０，２０の脚部１６ｃ，２６ｃを表側から差し込むことで、照明装置１０，２０を取り付けることができる。
すなわち、照明装置１０，２０を設備ユニット１に取り付けるための位置出し作業を省略することができる。また、連結部材１３，２３，３３が熱伝導性材料で構成されているので、照明装置１０，２０が発する熱を連結部材１３，２３，３３から放熱することができるので、放熱板を別途設ける必要がない。
さらに、支持部１３ａ，２３ａ，３３ａに形成された溝部１３ｄ，２３２ａ，３３ｄと、台座１６，２６の載置部１６ａ或いは支持部２６ｂの裏側から突出した脚部１６ｃ，２６ｃとから構成される取付手段を備えることにより、照明装置を容易に連結部材に取り付けることができる。また、脚部１６ｃ，２６ｃを溝部１３ｄ，２３２ａ，３３ｄで挟持させることにより、光源が発する熱を台座１６，２６から連結部材１３，２３，３３へ効率良く伝達させることもできる。
【００４５】
本発明の実施形態は図示した例に限られるものではない。上記した設備ユニット１として、浴室ユニット設備を例にとって説明したが、本発明はそれに限らず、キッチンユニットや洗面ユニットのパネル、或いは組立家屋の壁面など、各種のパネルや壁面などにも適用可能であることは言うまでもない。
発光素子は発光ダイオード素子に限らず、例えば、台座に冷陰極管の一対のブラケットを取り付け、図１に示す制御ボックス９ａと電気的に配線コードで接続されてもよい。
上記説明では、取付手段が、連結部材の溝部と、この溝部に挟持される台座の脚部とから構成される例を示したが、例えば台座を省略し、連結部材の溝部に対して照明装置の基板をねじ等で固定してもよい。
また、前述したように壁と壁との継ぎ目に照明装置を設置する場合に限らず、壁と天井との継ぎ目又は壁とフロアとの継ぎ目に照明装置を設置してもよい。
連結部材の形状、特に各爪部の形状は図示した例以外にも、パネル材の縁部の断面形状に対応して変更することができる。
【符号の説明】
【００４６】
１：設備ユニット
２：パネル材（画成材）
３：室内空間
４：連結部材
５：バスタブ
６：カウンター
７：鏡
８：カバー材
９ａ：制御ボックス
９ｂ：電源ボックス
９ｃ：配電盤
１１，１２：パネル材
１１ａ，１２ａ：断熱材
１１ｂ，１２ｂ：鋼板
１１ｃ，１２ｃ：縁部
１１ｄ，１２ｄ：折片
１３，２３：連結部材
１３ｂ，１３ｃ，２３ｂ，２３ｃ：連結部材の爪部
１３ａ，２３ａ：連結部材の支持部
１３ｄ，２３２ａ：連結部材の溝部
２３１：連結部材の湾曲部
２３ｄ：連結部材の補強部
１０，２０：照明装置
１４ａ，２４ａ：発光素子
１４ｃ，２４ｃ：基板
１４ｄ，２４ｄ：保護部
１５：目地材
１５ａ：目地材の差込部
１５ｂ：目地材の頭部
１５ｃ：目地材のひれ片
１６，２６：台座
１６ａ，２６ａ：台座の載置部
１６ｂ：台座の係合部
１６ｃ、２６ｃ：台座の脚部
２６ｂ：台座の支持部
１７，２７：カバー材
１７ａ，２７ａ：カバー材の前面部
１７ｂ：カバー材の係合部
１７ｃ：カバー材の傾斜部
２７ｂ，２７ｃ：カバー材の側壁部
２８，２８ａ，２８ｂ，２８ｃ：ねじ
２９，２９ａ，２９ｂ：パッキン材
３１：天井材としてのパネル材
３１１：天井パネル材本体
３１ａ：断熱材
３１ｂ：鋼板
３１１ｃ：角部
３１２：Ｌ型金具
３１２ａ：折曲部
３１２ｂ：金具本体部
３１２ｃ：延長部
３２：壁材としてのパネル材
３２ａ：断熱材
３２ｂ：鋼板
３３：連結部材
３３ａ：  連結部材の支持部
３３ｂ：  連結部材の第１接続部
３３ｃ：連結部材の第２接続部
３３ｄ：連結部材の溝部
３３ｅ：連結部材の凹部
【図１】
2010262815.tif 000003
【図２】
2010262815.tif 000004
【図３】
2010262815.tif 000005
【図４】
2010262815.tif 000006
【図５】
2010262815.tif 000007
【図６】
2010262815.tif 000008